(57)【要約】【課題】簡単な構造で、取り扱いが容易なごみスタンドを提供する。【解決手段】複数の板状部材２１を回動可能に接合して環状とした口金部２０と、この口金部２０を所定の高さに支持する支持部３０と、ペダル４１を踏むと口金部２０が開き、ペダルから足を外すと口金部２０が閉じる開閉部４０とを備える。口金部２０にごみ袋Ｍの開口部を取り付けて、開閉部４０により口金部２０を開閉することにより、ごみ袋Ｍの開口部を開閉することができる。【選択図】図４
0003182784.tif 000002
【実用新案登録請求の範囲】
【請求項１】
複数の板状部材を回動可能に接合して環状とした口金部と、
この口金部を所定の高さに支持する支持部と、
前記口金部を開閉する開閉部とを備え、
前記口金部にごみ袋の開口部を取り付けて、前記開閉部により前記口金部を開閉することにより、ごみ袋の開口部を開閉できるようにした
ことを特徴とするごみスタント。
【請求項２】
前記口金部にごみ袋の開口部を固定する固定部を備えたことを特徴とする請求項１記載のごみスタンド。
【請求項３】
前記開閉部は、
前記口金部の下方に設けられたペダルと、
このペダルが一端部に配設され、他端部は前記口金部に対して配設され、前記ペダルを踏むことにより傾きが変化して前記口金部を開く伝達部材と、
前記口金部を閉じる方向に前記伝達部材を付勢する付勢部材と
を有することを特徴とする請求項１又は請求項２記載のごみスタンド。
【考案の詳細な説明】
【技術分野】
【０００１】
本考案は、ごみを収納するごみ袋を取り付けるごみスタンドに関する。
【背景技術】
【０００２】
医療機関で使用される医療器具、例えば、注射器、注射針、又は、点滴セットは、患者に一度使用したものは、他の患者に病原菌が罹患する恐れがあるため、再度使用されることはなく、破棄される。この廃棄物は、感染性医療廃棄物とされ、特別管理産業廃棄物と規定されている。この感染性医療廃棄物は、一般に、蓋付のごみ箱の中に開口状態で配置したごみ袋に入れて集められ、専門業者に委託して焼却される。このように蓋付のごみ箱を使用するのは、感染性医療廃棄物から感染菌が浮遊し、医療機関内感染の危険性があるからである（例えば、特許文献１参照）。
【先行技術文献】
【特許文献】
【０００３】
【特許文献１】実用新案登録第３１４５８８５号公報
【考案の概要】
【考案が解決しようとする課題】
【０００４】
しかしながら、蓋付のごみ箱は、蓋の裏側に感染性医療廃棄物から浮遊した感染菌が付着するので、ごみ箱を定期的に滅菌処理しなければならず、手間がかかるという問題があった。
【０００５】
また、感染性医療廃棄物に限らず、一般のごみについても、蓋付のごみ箱は、においの発生を防止することができるので広く用いられているが、蓋の開閉が面倒であるという問題があった。更に、ごみ袋をごみ箱に配置する際も、ごみ袋がずれてしまったり、入れ方によっては蓋が閉まりにくかったりすることがあり、面倒であるという問題もあった。
【０００６】
本考案は、このような問題に基づきなされたものであり、簡単な構造で、取り扱いが容易なごみスタンドを提供することを目的とする。
【課題を解決するための手段】
【０００７】
本考案のごみスタンドは、複数の板状部材を回動可能に接合して環状とした口金部と、この口金部を所定の高さに支持する支持部と、口金部を開閉する開閉部とを備え、口金部にごみ袋の開口部を取り付けて、開閉部により口金部を開閉することにより、ごみ袋の開口部を開閉できるようにしたものである。
【考案の効果】
【０００８】
本考案のごみスタンドによれば、口金部にごみ袋の開口部を取り付けて口金部を開閉することによりごみ袋の開口部を開閉することができるようにしたので、蓋を設けなくても、ごみ袋の開口部を閉じておくことができる。よって、感染性医療廃棄物から感染菌が浮遊することを防止することができると共に、ごみ箱の滅菌処理を不要とすることができ、手間を軽減することができる。また、一般ごみであっても、ごみ袋の開口部を閉じることにより、においの発生等を防止することができると共に、蓋の開閉がなく簡単にごみを入れることができ、ごみ袋の配置も容易とすることができる。従って、簡単な構造で、取り扱いを容易とすることができる。
【０００９】
特に、口金部にごみ袋の開口部を固定する固定部を備えるようにすれば、ごみを入れてもごみ袋が口金部から外れてしまうことを防止することができると共に、ごみ袋の着脱も容易とすることができる。
【図面の簡単な説明】
【００１０】
【図１】本考案の一実施の形態に係るごみスタンドの構成を表す図である。
【図２】図１に示したごみスタンドをＡ側から見た構成を表す図である。
【図３】図１に示したごみスタンドをＢ側から見た構成を表す図である。
【図４】図１に示したごみスタンドにごみ袋と取り付けた状態を表す図である。
【考案を実施するための形態】
【００１１】
以下、本考案の実施の形態について、図面を参照して詳細に説明する。
【００１２】
図１から図４は、本考案の一実施の形態に係るごみスタンド１の構成を表すものであり、図２は図１に示したＡ側から見た構成を表す、図３は図１に示したＢ側から見た構成を表し、図４は図１にごみ袋Ｍを取り付けた状態を表している。このごみスタンド１は、ごみ袋Ｍを取り付けて用いるものであり、例えば、基台１０と、基台１０の上方に位置し、ごみ袋Ｍを取り付ける口金部２０と、口金部２０を所定の高さに支持する支持部３０と、口金部２０を開閉する開閉部４０とを備えている。基台１０は、例えば、基盤１１を有しており、基盤１１の底部には下方に突出して複数の脚部１２が設けられていることが好ましい。
【００１３】
口金部２０は、例えば、複数の板状部材２１を回動可能に接合することにより環状に構成されている。具体的には、例えば、６つの板状部材２１が蝶番２２により順番に接合されることにより環状に構成されている。板状部材２１は、例えば、対向する第１板状部材２１Ａと第２板状部材２１Ｂとを有し、それらの一方の端部側は、第３板状部材２１Ｃと第４板状部材２１Ｄとにより接合され、他方の端部側は、第５板状部材２１Ｅと第６板状部材２１Ｆとにより接合されている。
【００１４】
口金部２０は、例えば、第３板状部材２１Ｃと第４板状部材２１Ｄとの間の角度、及び、第５板状部材２１Ｅと第６板状部材２１Ｆとの間の角度が小さくなり、第１板状部材２１Ａと第２板状部材２１Ｂとが接近することにより、図３において実線で示したように閉じ、第３板状部材２１Ｃと第４板状部材２１Ｄとの間の角度、及び、第５板状部材２１Ｅと第６板状部材２１Ｆとの間の角度が大きくなり、第１板状部材２１Ａと第２板状部材２１Ｂとが離間することにより、図３において破線で示したように開くようになっている。なお、図１、図２、及び、図４では、口金部２０が閉じた状態を表している。
【００１５】
支持部３０は、例えば、一方の端部が基台１０に配設され、他方の端部が口金部２０、具体的には、第１板状部材２１Ａに配設されている。支持部３０は、例えば、ごみをごみ袋Ｍに入れた時に邪魔にならないように、一方の端部は基盤１１の端に配設され、他方の端部側が基盤１１の中央部に向かって折り曲げられていることが好ましい。
【００１６】
開閉部４０は、例えば、口金部２０の下方に設けられたペダル４１と、このペダル４１が一端部に配設され、他端部は口金部２０に対して配設され、ペダル４１を踏むことにより傾きが変化して口金部２０を開く伝達部材４２と、口金部２０を閉じる方向に伝達部材４２を付勢する付勢部材４３とを有している。ペダル４１は、例えば、口金部２０が閉じた状態において、先端部が床から上に浮いており、先端部を踏んで伝達部材４２の傾きを変化させることができるようになっている。
【００１７】
伝達部材４２は、例えば、一端部が基盤１１に対して回動可能に配設され、他端部は支持部３０が配設されている第１板状部材２１Ａと対向する第２板状部材２１Ｂに対して回動可能に配設されている。伝達部材４２は、ペダル４１の先端部が踏まれると、一端部が基盤１１に対して回動すると共に、他端部が第２板状部材２１Ｂに対して回動して傾きが変化し、第２板状部材２１Ｂを第１板状部材２１Ａから離間する方向に移動させるようになっている。
【００１８】
付勢部材４３は、例えば、シリンダにより構成されており、一端部が基盤１１に対して回動可能に配設され、他端部が伝達部材４２に対して回動可能に配設されている。付勢部材４３は、例えば、ペダル４１を踏むと縮み、ペダル４１を踏むのをやめると伸びて元に戻るように構成されている。なお、付勢部材４３は、ばね等により構成するようにしてもよく、また、ペダル４１を踏むと伸び、ペダル４１を踏むのをやめると縮んで元に戻るようにしてもよい。
【００１９】
このごみスタンド１は、また、口金部２０にごみ袋Ｍの開口部を固定する固定部５０を備えていることが好ましい。ごみを入れた時にごみ袋Ｍが口金部２０から外れてしまうことを防止することができるからである。固定部５０は、例えば、口金部２０を金属より構成し、磁石を利用して口金部２０との間にごみ袋Ｍを挟んで固定するようにすることが好ましい。例えば、固定部５０は、磁石部５１と、磁石部５１の下方において磁石部５１を口金部２０に対して回動可能に配設する配設部５２と、磁石部５１を口金部２０に対して着脱するためのハンドル部５とを有するように構成することが好ましい。簡単にごみ袋Ｍを固定することができ、ごみ袋Ｍを容易に着脱することができるからである。固定部５０は、第１板状部材２１Ａ及び第２板状部材２１Ｂに対して配設することが好ましい。なお、固定部５０は、磁石を用いるのではなく、クリップや粘着性樹脂などを用いて固定するように構成してもよい。
【００２０】
このごみスタンド１では、まず、例えば、ペダル４１を踏み、第２板状部材２１Ｂを第１板状部材２１Ａから離間させて口金部２０を開くと共に、固定部５０のハンドル部５３を開いて磁石部５１を口金部２０から離間させる。次いで、例えば、口金部２０の中にごみ袋Ｍを入れ、ごみ袋Ｍの開口部を外側に折り曲げて口金部２０に引っ掛けて取り付け、磁石部５１と口金部２０との間にごみ袋Ｍを挟んで固定する。そののち、例えば、ペダル４１から足を離すと、付勢部材４３により伝達部材４２が元の位置に戻り、第２板状部材２１Ｂは第１板状部材２１Ａに、第４板状部材２１Ｄは第３板状部材２１Ｃに、第６板状部材２１Ｆは第５板状部材２１Ｅに当接するように接近して口金部２０が閉じ、ごみ袋Ｍの開口部が閉じられる。
【００２１】
ごみ袋Ｍにごみを入れる際には、例えば、ペダル４１を踏み、口金部２０を開いて入れ、ペダル４１から足を離して口金部２０を閉じる。また、ごみ袋Ｍを取り外す際には、例えば、ペダル４１を踏み、口金部２０を開くと共に、磁石部５１を口金部２０から離間させてごみ袋Ｍを取り外す。
【００２２】
このように本実施の形態によれば、口金部２０にごみ袋Ｍの開口部を取り付けて口金部２０を開閉することによりごみ袋Ｍの開口部を開閉することができるようにしたので、蓋を設けなくても、ごみ袋Ｍの開口部を閉じておくことができる。よって、感染性医療廃棄物から感染菌が浮遊することを防止することができると共に、ごみ箱の滅菌処理を不要とすることができ、手間を軽減することができる。また、一般ごみであっても、ごみ袋Ｍの開口部を閉じることにより、においの発生等を防止することができると共に、蓋の開閉がなく簡単にごみを入れることができ、ごみ袋Ｍの配置も容易とすることができる。従って、簡単な構造で、取り扱いを容易とすることができる。
【００２３】
特に、口金部２０にごみ袋Ｍの開口部を固定する固定部を備えるようにすれば、ごみを入れてもごみ袋Ｍが口金部２０から外れてしまうことを防止することができると共に、ごみ袋Ｍの着脱も容易とすることができる。
【００２４】
以上、実施の形態及び変形例を挙げて本考案を説明したが、本考案は上記実施の形態に限定されるものではなく、種々変形可能である。例えば、上記実施の形態では各構成要素について具体的に説明したが、全ての構成要素を備えていなくてもよく、また、他の構成要素を備えていてもよい。
【符号の説明】
【００２５】
１…ごみスタンド、１０…基台、１１…基盤、１２…脚部、２０…口金部、２１…板状部材、２１Ａ…第１板状部材、２１Ｂ…第２板状部材、２１Ｃ…第３板状部材、２１Ｄ…第４板状部材、２１Ｅ…第５板状部材、２１Ｆ…第６板状部材、２２…蝶番、３０…支持部、４０…開閉部、４１…ペダル、４２…伝達部材、４３…付勢部材、５０…固定部、５１…磁石部、５２…配設部、５３…ハンドル部、Ｍ…ごみ袋
【図１】
0003182784.tif 000003
【図２】
0003182784.tif 000004
【図３】
0003182784.tif 000005
【図４】
0003182784.tif 000006